(57)【要約】      （修正有）【課題】作業者の熟練を必要とせず、簡便でありながら正確かつ短時間に巻き付けることを可能とするケーブル巻付用工具を提供する。【解決手段】ケーブル巻付用工具本体１は、前面側から後面側へ向かって上方へ傾斜する経路を有する貫通孔部２と、この貫通孔部２の下方に形成された逃がし窪み部３と、この逃がし窪み部３の下方に形成された係合窪み部４と、この係合窪み部４の側方に形成された窪み部５と、係合窪み部４の下方に形成された略直方体の胴部６と、この胴部６の側方に突出形成された平板状の突出部７とから構成され、支持線を貫通孔部２に挿通させた状態で係合窪み部４とリング金具とを係合させた後、この係合部を軸としてケーブル巻付用工具本体１を回動させることにより支持線をリング金具へ巻き付ける。【選択図】図１
2019152715.tif 000002
【特許請求の範囲】
【請求項１】
ケーブルを棒状の金具に巻き付けるための工具において、
工具本体の上方にあって、前記ケーブルを挿入するためのものであり、前面側から後面側へ向かって上方へ傾斜する経路を有する貫通孔部と、
この貫通孔部の下方にあって、前記ケーブルが前記金具に円滑に巻き付くよう前記貫通孔部にかかるように形成された逃がし窪み部と、
この逃がし窪み部の下方にあって、前記金具に係合させるために形成された係合窪み部と、
この係合窪み部の側方にあって、棒状の金具に巻き付けた前記ケーブルが巻き付け作業中に前記工具に干渉しないように形成された窪み部と、
前記係合窪み部の下方にあって、前記工具を回動させる際に把持しやすいように設けられた略直方体の胴部と、
この胴部の側方にあって、前記工具を回動させる際に指を押し当てて支持するために突出形成された平板状の突出部と、
から成るケーブル巻付用工具。
【請求項２】
前記貫通孔部の前面側の周囲には前記ケーブルの挿入方向を示すための表示部が設けられていること、を特徴とする請求項１に記載のケーブル巻付用工具。
【請求項３】
工具全体の角部にはアールがつけられていること、を特徴とする請求項１又は２に記載のケーブル巻付用工具。
【請求項４】
前記突出部には紐を通すための紐貫通孔部が形成されていること、を特徴とする請求項１乃至３のいずれか１項に記載のケーブル巻付用工具。
【請求項５】
前記突出部の裏面側には滑り止め手段が設けられていること、を特徴とする請求項１乃至４のいずれか１項に記載のケーブル巻付用工具。
【発明の詳細な説明】
【技術分野】
【０００１】
本発明は、ケーブルを棒状の金具等に巻き付けるための工具に関するものであり、さらに詳しくは屋外から屋内への光ファイバケーブル引込工事において、光ファイバケーブルから分離させた支持線を屋外線引留具のリング金具へ巻き付ける際に使用する工具に関する。
【背景技術】
【０００２】
従来、屋外の光ファイバケーブルを電柱から架空で屋内へ引き込む工事において、光ファイバケーブルと支持線とを分離させ、この分離させた支持線を建物の外壁等に設置した屋外線引留具のリング金具へ巻き付ける作業は、図６に示すように、一方の手で屋外線引留具を保持し、他方の手で握持した支持線をリング金具へ直接巻き付けることにより行われていた。
【０００３】
しかし乍ら、支持線は鋼線等から成り手の力のみで変形させることが容易ではないため、このような手作業で支持線をリング金具へ巻き付ける工法では、巻き付け作業の正確性を高めるために作業者の熟練を必要とし、また熟練作業者であってもその巻き付け精度は高くなく（図６）、更には作業回数が増加すると疲労や指にかかる負担により１回の作業時間が必然的に長くなり、その結果工事期間が延びてしまうという問題があった（図５）。
【０００４】
また、直接手により巻き付ける工法に代えてペンチ等の一般的な工具で支持線を挟持し、リング金具へ巻き付ける工法も用いられてはいるが、巻き付け作業の正確性を高めるために作業者の熟練が必要となることに変わりはなく、また作業者の疲労軽減に対しても効果的とはいえない。
【発明の開示】
【発明が解決しようとする課題】
【０００５】
本発明は、このような問題点に鑑みて提案されるものであって、作業者の熟練を必要とせず、簡便でありながら正確かつ短時間に巻き付けることを可能とするケーブル巻付用工具を提供することを目的とする。
【課題を解決するための手段】
【０００６】
前記目的を達成するため、請求項１に記載の発明は、ケーブルを棒状の金具に巻き付けるための工具において、工具本体の上方にあって、前記ケーブルを挿入するためのものであり、前面側から後面側へ向かって上方へ傾斜する経路を有する貫通孔部と、この貫通孔部の下方にあって、前記ケーブルが前記金具に円滑に巻き付くよう前記貫通孔部にかかるように形成された逃がし窪み部と、この逃がし窪み部の下方にあって、前記金具に係合させるために形成された係合窪み部と、この係合窪み部の側方にあって、棒状の金具に巻き付けた前記ケーブルが巻き付け作業中に前記工具に干渉しないように形成された窪み部と、前記係合窪み部の下方にあって、前記工具を回動させる際に把持しやすいように設けられた略直方体の胴部と、この胴部の側方にあって、前記工具を回動させる際に指を押し当てて支持するために突出形成された平板状の突出部と、から成ることを特徴とするものである。
【０００７】
また、請求項２に記載の発明は、請求項１に記載のケーブル巻付用工具において、前記貫通孔部の前面側の周囲には前記ケーブルの挿入方向を示すための表示部が設けられていることを特徴とするものである。
【０００８】
また、請求項３に記載の発明は、請求項１又は２に記載のケーブル巻付用工具において、工具全体の角部にはアールがつけられていることを特徴とするものである。
【０００９】
また、請求項４に記載の発明は、請求項１乃至３に記載のケーブル巻付用工具において、前記突出部には紐を通すための紐貫通孔部が形成されていることを特徴とするものである。
【００１０】
また、請求項５に記載の発明は、請求項１乃至４に記載のケーブル巻付用工具において、前記突出部の裏面側には滑り止め手段が設けられていることを特徴とするものである。
【発明の効果】
【００１１】
以上のように、本発明によれば、熟練した技術を有する作業者ではなくとも簡単かつ正確にケーブルをリング金具へ巻き付けることができ、更には巻き付け作業の回数が増えても疲労等により作業速度が落ちることがないため、工事期間を短縮することが可能となる。
【００１２】
また、挿入方向が容易に判別できるようにケーブルを挿入する孔部の周囲には挿入方向を示す表示が設けられたり、高所での作業中に工具本体が落下することを防ぐように紐を通すための貫通孔が形成されたり、握持し易いように工具本体の角部に丸みを帯びさせたり、工具本体を回動させる際に指の力が伝わり易いように突出部に滑り止め手段が設けられることにより、本発明に係るケーブル巻付用工具の使い勝手を向上させ、快適かつ効率的な巻き付け作業が可能となる。
【図面の簡単な説明】
【００１３】
【図１】（Ａ）ケーブル巻付用工具の斜視図である。（Ｂ）ケーブル巻付用工具の背面図である。
【図２】貫通孔部の経路の構造を示す断面図である。
【図３】（Ａ）〜（Ｆ）支持線を屋外線引留具のリング金具へ巻き付ける工程を示す説明図である。
【図４】リング金具と係合窪み部の係合部の説明図である。
【図５】支持線を屋外線引留具のリング金具へ５回巻き付ける作業を一工程とし、工具を使用せずに手のみで巻き付けた場合と本発明であるケーブル巻付用工具を使用して巻き付けた場合との一工程にかかる実際の作業時間を比較した表である。
【図６】手のみで支持線を屋外線引留具のリング金具へ巻き付けている状態を示す説明図である。
【発明を実施するための形態】
【実施例１】
【００１４】
以下、本発明の実施例を図面を基に詳細に説明する。
【００１５】
図１に示すように、本発明に係るケーブル巻付用工具本体１は、工具本体１の上方にあって前面側から後面側へ向かって上方へ傾斜する経路を有する貫通孔部２と、この貫通孔部２の下方に形成された逃がし窪み部３と、この逃がし窪み部３の下方に形成された係合窪み部４と、この係合窪み部４の側方に形成された窪み部５と、係合窪み部４の下方に形成された略直方体の胴部６と、この胴部６の側方に突出形成された平板状の突出部７を具備する。
【００１６】
図２は支持線８を挿入するために形成された貫通孔部２の構造を示す断面図であり、図２に示す通り、貫通孔部２は前面側開口部２ａから挿入した支持線８が後面側開口部２ｂまでスムーズに貫通するように前面側から後面側へ向かって上方へ傾斜する経路２ｃを有し、この経路２ｃ及び前面側開口部２ａ及び後面側開口部２ｂの径は挿入する支持線８の径よりも僅かに大きく構成されている。
【００１７】
なお、支持線８がスムーズに挿通されるのであれば経路２ｃの傾斜角度は限定されないが、例示すると２６度〜３２度である。
【００１８】
次に、本発明を使用し、支持線８を屋外線引留具のリング金具９へ巻き付ける作業工程を説明する。
【００１９】
図３において、符号の９は屋外線引留具のリング金具、符号の８は支持線であり、図３（Ａ）に示すように支持線８をリング金具９の巻付開始位置にセットした後、支持線８を貫通孔部２に挿通させて工具本体１をリング金具９の方向へ移動させる。
【００２０】
次に、図３（Ｂ）に示すように巻付開始位置でリング金具９と係合窪み部４を係合させる。
【００２１】
次に、図３（Ｃ）、（Ｄ）に示すように胴部６及び突出部７の夫々に指を添えた後、矢印方向に力を加えてリング金具９と係合窪み部４の係合部１０を軸として工具本体１を回動させ、工具本体１を一回動させると貫通孔部２に挿通させた支持線８がリング金具９を一周することにより、図３（Ｅ）に示すように支持線８がリング金具９に一周分巻き付けられる。
【００２２】
そして、上記回動を繰り返すことによりリング金具９への支持線８の巻き付け回数を増やすことができ、目的の回数（本実施例では５回）を巻き終えたら支持線８をカットし、巻き付け作業が完了する（図２（Ｆ））。
【００２３】
図４は工具本体１の回動中の係合部１０の状態を示す図であり、支持線８が貫通孔部２の下方に形成された逃がし窪み部３に係合することにより、リング金具９と支持線８が挿通された貫通孔部２との距離が近くなるため、逃がし窪み部３が形成されていない場合と比較して円滑な巻き付けが可能になると共に、支持線８の損傷を防ぐことができる。
【００２４】
また、リング金具９に巻き付けられた支持線８が窪み部５に係合することにより、支持線８をリング金具９に対して直交方向へ巻き付けることが容易になるため、窪み部５が形成されていない場合と比較し、連続して正確に巻き付けることが可能となる。
【００２５】
符号の１１は支持線８の挿入方向を示すための表示としてペンキ等により着色された挿入口表示部であり、本実施例では貫通孔部２の前面側の周囲に着色を施しているが、挿入方向を示すための表示としては着色に限定されることなく、貫通孔部２の前面側の周囲に突起部や凹部を設けても良い。
【００２６】
符号の１２は突出部７の角部につけたアールであり、このアール１２を含め工具本体１の角部にアール１２ａ、１２ｂ、１２ｃ等をつけることにより、工具本体１が握持し易くなり、また支持線８巻き付け作業において作業者の指にかかる負担を軽減することができる。
【００２７】
符号の１３は紐を通すための紐貫通孔であり、この紐貫通孔１３に紐を通して作業者が着用するベルト等と結着したり、所謂ストラップを通すことにより、建物の外壁上方等、高所に設置される屋外線引留具のリング金具９への支持線８巻き付け作業中や移動中に工具本体１が落下することを防ぐことができる。
【００２８】
符号の１４は突出部７の後面側に形成した複数の直線溝から成る滑り止め部であり、工具本体１を回動させる際にこの滑り止め部１４に指をかけることにより指の力が工具本体１に伝わり易くなり、より小さい力で工具本体１を回動させることができる。
【００２９】
なお、滑り止め部の形状は本実施例の形状に限定されるものではなく、曲線や突部から成るものでも良いし、テープ等を貼着するものや装飾性を重視するものであっても良い。
【００３０】
図５は支持線８をリング金具９へ５回巻き付ける作業を一工程として、工具を使用せずに手のみで巻き付けた場合と本発明を使用して巻き付けた場合の作業を夫々連続して行い、一工程にかかる実際の作業時間を比較した表であり、手で巻き付けた場合は作業回数の増加に比例して作業時間も増加しているのに対し、本発明を使用した場合は作業回数が増加しても作業時間は略一定である結果から、本発明の有効性が示されている。
【００３１】
なお、図５中の「ツール」は本発明に係る工具を指すものである。
【００３２】
本実施例に示す通り、本発明に係るケーブル巻付用工具は構造や使用方法がシンプルであり汎用性が高いため、棒状の金具等に対してであれば支持線以外のケーブルや鋼線等を巻き付ける際にも使用することができ、様々な現場で活用できるものとなっている。
【符号の説明】
【００３３】
１  ケーブル巻付用工具本体
２  貫通孔部
３  逃がし窪み部
４  係合窪み部
５  窪み部
６  胴部
７  突出部
８  支持線
９  リング金具
１０  係合部
１１  挿入口表示部
１２  アール
１３  紐貫通孔部
１４  滑り止め部
【図１】
2019152715.tif 000003
【図２】
2019152715.tif 000004
【図３】
2019152715.tif 000005
【図４】
2019152715.tif 000006
【図５】
2019152715.tif 000007
【図６】
2019152715.tif 000008